(57)【要約】【課題】本体ケース２の上面に操作パネル部４のような突出部があっても、これに邪魔されることなく、画像読取部ケース１２を上向き回動させて、本体ケース２の上面開口部２ｃを大きく開放させる。【解決手段】用紙に画像を記録する画像記録部と、その画像記録部に用紙を給送して排出する搬送手段とが備えられた本体ケース２の上面前側部位には、操作パネル部１４が設けられ、その後側に原稿を読取る読取手段が備えられた画像読取部ケース１２が配置された画像記録装置において、上面開口部２ｃのうち操作パネル部１４に隣接する個所に設けられたヒンジ手段を介して画像読取部ケース１２を上下回動可能に連結し、スタンド部材４４にて開いた状態を保持する。画像読取部ケース１２の後端には外径側搬送路体３５が一体的に形成されているので、開いたときには、内径側搬送路体３６が露出でき、紙ジャム処理が簡単になる。【選択図】図６
2008118200.tif 000002
【特許請求の範囲】
【請求項１】
被記録媒体上に画像を記録する画像記録部と、その画像記録部に被記録媒体を給送して排出する搬送手段とが備えられた下側本体と、原稿を読取る読取手段が備えられた上側本体とからなり、前記下側本体の上面一側部位には、突出部が設けられている画像記録装置において、
前記下側本体の上面開口部のうち前記突出部に隣接する個所に設けられたヒンジ手段を介して前記上側本体を上下回動可能に連結し、
前記上側本体が前記突出部を除く前記下側本体の上面開口部に対して閉止する姿勢と、前記下側本体の上面開口部のうち前記突出部から最も離間した部位が大きく開く姿勢とに、前記上側本体が開閉可能となるように構成され、
前記下側本体と前記上側本体とを前記開き姿勢に保持する保持部材を備えていることを特徴とする画像記録装置。
【請求項２】
前記突出部は操作パネル部であり、前記下側本体内のうち、前記操作パネル部から遠い側に記録部及び被記録媒体の給紙搬送路が配置されていることを特徴とする請求項１に記載の画像記録装置。
【請求項３】
前記上側本体には、前記給紙搬送路おける外径側搬送路体が前記ヒンジ手段による回動中心と対向する部位に一体的に設けられていることを特徴とする請求項２に記載の画像記録装置。
【請求項４】
前記読取手段から前記下側本体内に配置された制御基板に接続するフレキシブルフラットケーブルが、前記ヒンジ手段による回動中心側を介して配設されていることを特徴とする請求項１乃至３のいずれかに記載の画像記録装置。
【請求項５】
前記下側本体における上面開口部には、外部装置に接続する配線のための上方開放型の配線通路が形成され、
前記配線通路の端部が前記ヒンジ手段による回動中心から最も離間した下側本体の端面に開放されていることを特徴とする請求項１乃至４のいずれかに記載の画像記録装置。
【発明の詳細な説明】
【技術分野】
【０００１】
本発明は、記録部等が備えられた下側本体に対して原稿読取手段が備えられた上側本体が開閉可能に装着された画像記録装置に係り、より詳しくは、記録部等における紙ジャム処理作業が容易にできるように、上側本体を開閉できる画像記録装置の構成に関する。
【背景技術】
【０００２】
従来の各種複写機やファクシミリ等の画像記録装置、例えば特許文献１に示す画像読取記録装置において、画像記録ユニットを装着したボトムカバーの後端に、用紙を給送する給送ユニットが後端にて前方下向き傾斜状にて装着されている。画像記録ユニットの上方（給送ユニットより前側）に、原稿から画像を読取る画像読取ユニットが配置されている。そして、この画像読取ユニットの奥側と画像記録ユニットの奥側とをヒンジ手段を介して連結し、画像読取ユニットの前側が、画像記録ユニットの上側開口面に対して大きく開く構成が開示されている。
【０００３】
また、画像記録ユニットの上側に開口するインクタンク交換口を除く部位に装置全体の制御部が固定され、その制御部の上面がカバー体にて覆われている。一方、画像記録ユニット内にインクタンクが着脱可能に搭載されたインクジェット記録ヘッドが配置され、このヘッドは前記インクタンク交換口の下方を通過できるように構成されているものである。
【０００４】
この構成により、ユーザーは画像読取ユニットを大きく開いた状態で、画像記録ユニットのインクタンクの交換が容易になるというものである。
【特許文献１】特開２００４−２３５８３１号公報（図１１〜図１４参照）
【発明の開示】
【発明が解決しようとする課題】
【０００５】
しかしながら、特許文献１の構成では、画像読取ユニットの後端側の給送ユニットから給送された用紙は画像記録ユニットにおける下側側を通過して画像記録された後、前方に排紙されるタイプである。この画像記録ユニットの下方で紙ジャムが発生したときには、その詰まった用紙を除去するために、ボトムカバーの後端の蓋体を開放させるか、画像読取ユニットを大きく開いて前記インクタンク交換口から手を差し込む必要がある。そのため、紙ジャム処理作業が面倒であると共に、前記後端の蓋体の装着忘れが発生するという問題があった。
【０００６】
また、画像読取ユニットから下側の画像記録ユニットにおける制御部や、画像記録ユニットや操作パネル部に画像データや制御用の信号を伝送するためのフレキシブルフラットケーブルは、当然ヒンジ手段を有する回動中心側を経由し、且つ前記インクタンク交換口を迂回させて配線しなければならない。そのため、前記制御部や操作パネルが装置本体の前側に配置されている場合には、前記フレキシブルフラットケーブルが長くなり、外部からのノイズの影響を受けやすくなるという問題があった。
【０００７】
本発明は、これらの問題を解決すべくなされたものであり、比較的簡単な構成を採用することにより、画像読取部分を開くとき、紙ジャムの処理が容易となり、また、外部装置に接続するための配線作業も容易となる一方、フレキシブルフラットケーブルに対するノイズの影響を少なくできる画像記録装置を提供することを目的とするものである。
【課題を解決するための手段】
【０００８】
前記目的を達成するため、請求項１に記載の発明の画像記録装置は、被記録媒体上に画像を記録する画像記録部と、その画像記録部に被記録媒体を給送して排出する搬送手段とが備えられた下側本体と、原稿を読取る読取手段が備えられた上側本体とからなり、前記下側本体の上面一側部位には、突出部が設けられている画像記録装置において、前記下側本体の上面開口部のうち前記突出部に隣接する個所に設けられたヒンジ手段を介して前記上側本体を上下回動可能に連結し、前記上側本体が前記突出部を除く前記下側本体の上面開口部に対して閉止する姿勢と、前記下側本体の上面開口部のうち前記突出部から最も離間した部位が大きく開く姿勢とに、前記上側本体が開閉可能となるように構成され、前記下側本体と前記上側本体とを前記開き姿勢に保持する保持部材を備えているものである。
【０００９】
請求項２に記載の発明は、請求項１に記載の画像記録装置において、前記突出部は操作パネル部であり、前記下側本体内のうち、前記操作パネル部から遠い側に記録部及び被記録媒体の給紙搬送路が配置されているものである。
【００１０】
請求項３に記載の発明は、請求項２に記載の画像記録装置において、前記上側本体には、前記給紙搬送路における外径側搬送路体が前記ヒンジ手段による回動中心と対向する部位に一体的に設けられているものである。
【００１１】
請求項４に記載の発明は、請求項１乃至３のいずれかに記載の画像記録装置において、前記読取手段から前記下側本体内に配置された制御基板に接続するフレキシブルフラットケーブルが、前記ヒンジ手段による回動中心側を介して配設されているものである。
【００１２】
請求項５に記載の発明は、請求項１乃至４のいずれかに記載の画像記録装置において、前記下側本体における上面開口部には、外部装置に接続する配線のための上方開放型の配線通路が形成され、前記配線通路の端部が前記ヒンジ手段による回動中心から最も離間した下側本体の端面に開放されているものである。
【発明の効果】
【００１３】
請求項１に記載の発明によれば、下側本体の上面開口部のうち前記突出部に隣接する個所に設けられたヒンジ手段を介して前記上側本体を上下回動可能に連結して、上側本体を上向き回動させて開くことができるものである。従って、下側本体の上面開口部の一部に突出部があっても、これに邪魔されること無く、上面開口部を大きい範囲で開放することができ、紙ジャム処理作業を確実に実行できるという効果を奏する。
【００１４】
請求項２に記載の発明によれば、前記突出部は操作パネル部であり、前記下側本体内のうち、前記操作パネル部から遠い側に記録部及び被記録媒体の給紙搬送路が配置されているものである。従って、上側本体の全閉状態から全開状態まで、上側本体の背面が下側本体の背面から後方に突出しないので、室の壁に画像記録装置の背面を接近させて配置でき、その状態で紙ジャム処理できる。
【００１５】
請求項３に記載の発明によれば、前記上側本体には、前記給紙搬送路における外径側搬送路体が前記ヒンジ手段による回動中心と対向する部位に一体的に設けられているものである。従って、前記上側本体を持ち上げるだけの簡単な操作で外径側搬送路体も一体的に持ち上げられ、前記給紙搬送路を開放して紙ジャム処理作業が容易にできるという効果を奏する。
【００１６】
請求項４に記載の発明によれば、前記読取手段から前記下側本体内に配置された制御基板に接続するフレキシブルフラットケーブルが、前記ヒンジ手段による回動中心側を介して配設されているものである。従って、前記ヒンジ手段に近い側に制御基板が配置されている場合には、フレキシブルフラットケーブルの長さを短くすることができる結果、フレキシブルフラットケーブルで拾うノイズを少なくでき、読取手段で読取った画像データを安定させることができるという効果を奏する。
【００１７】
請求項５に記載の発明によれば、前記下側本体における上面開口部には、外部装置に接続する配線のための上方開放型の配線通路が形成されているので、前記配線作業のための空間を大きく採ることができる結果、配線作業が至極容易になる。また、前記配線通路の端部が前記ヒンジ手段による回動中心から最も離間した下側本体の端面に開放されているので、上側本体を閉じたときにも、本体から外に出る配線と干渉せず、配線を傷つけることも無くなる。
【発明を実施するための最良の形態】
【００１８】
次に、本発明を具体化した最良の実施形態について説明する。図１は画像記録装置の正面側斜視図、図２は側断面図、図３は上側本体を下側本体に対して全閉した状態の背面側斜視図、図４（ａ）はヒンジ手段の側断面図、図４（ｂ）はヒンジ手段の要部拡大側断面図、図４（ｃ）は上側本体のヒンジ手段へ装着時の側断面図、図５は上側本体を全開した状態を示す側断面図、図６（ａ）は上側本体を下側本体に対して全開した状態の側面図、図６（ｂ）は上側本体を全開した状態を示す裏面側斜視図、図７（ａ）は全開状態の原稿カバーを除いた画像読取部を示す斜視図、図７（ｂ）は全開状態のフレキシブルフラットケーブルと制御基板との接続配線状態を示す斜視図である。
【００１９】
本実施形態は、画像記録装置の１実施形態としての、プリンタ機能、コピー機能、スキャナ機能、ファクシミリ機能及びコードレス電話機能を備えた多機能装置１（ＭＦＤ：Multi Function Device ）に本発明を適用したものである。多機能装置１は、図示されていないコンピュータや電話通信網に接続可能であり、このコンピュータや他のファクシミリ装置から送信された画像データや文書データに基づいて、被記録媒体の一例としての記録用紙に画像や文書を記録することができる。また、多機能装置１は、デジタルカメラ等の外部機器と接続されてデジタルカメラから出力される画像データを記録用紙に記録することができる。
【００２０】
本実施形態では、図１に示すように、合成樹脂製の下側本体としての本体ケース（ハウジング）２内に画像記録部（以下、記録部という）７が備えられている。そして、本体ケース２の底部のカセット収納部（収納空間）に対して、本体ケース２の前側に開口された挿入口２ａから挿抜可能（実質上水平方向に出し入れ可能）な主給紙カセット３が配置されている。以下、合成樹脂製の本体ケース２の挿入口２ａがある側を前側または前方といい、これを基準に装置の前側、左右側、後側（奥側）という。本体ケース２の前面部にはスロット部１１が備えられ、このスロット部１１にメモリカード等の各種記憶媒体が装填されることによって当該記憶媒体に記憶された画像データ等を記録用紙に記録することも可能である。
【００２１】
本体ケース２の上面のうち前部には、各種操作ボタンや液晶表示部等を備えた操作パネル部１４が上向きに若干寸法だけ突出するように設けられている。この操作パネル部１４は、本発明における上向きの突出部の一例である。
【００２２】
本体ケース２の上面のうち、操作パネル部１４より後部には、上側本体としての画像読取部ケース１２が後に詳述するヒンジ手段４０を介して開閉可能に装着されている。コピー機能やファクシミリ機能における原稿読取などのための画像読取装置（スキャナ部）１２ａが画像読取部ケース１２内に配置されている。
【００２３】
画像読取部ケース１２の上面側には、原稿を載置することができる載置用ガラス板１６が設けられている。載置用ガラス板１６の下側に画像読取装置（スキャナ部）１２ａとしての原稿読取り用のイメージスキャナ装置（ＣＩＳ：Contact Image Sensor）１７が図２の紙面と直交する方向（主走査方向、以下、Ｘ軸方向という）に往復移動可能に設けられている。
【００２４】
載置用ガラス板１６の上面を覆う原稿カバー体１３はその後端部（図２で右側）が蝶番１３ａを介して画像読取部ケース１２に対して開閉自在に取り付けられている。
【００２５】
画像読取部ケース１２と操作パネル部１４との平面視投影面積内に、記録部７と排紙部１０などが配置される。この排紙部１０の一側（図１で右側）であって、本体ケース２の前部側に、インクカートリッジの収納装置１５が内蔵されている。そして、本体ケース２の前部側に下端を蝶番を介して上下回動して開閉する蓋体２ｂにて収納装置１５の前面側が覆われている。
【００２６】
記録部７は、図２に示すように、上面開放された枠状のメインフレーム２１における左右一対の側板（図示せず）にて支持され、Ｘ軸方向（主走査方向）に延びる横長の板状（プレート状）の第１ガイド部材２２、第２ガイド部材２３と、キャリッジ５と、プラテン２６とを備えている。
【００２７】
両ガイド部材２２、２３に跨がって摺動自在に支持（搭載）されて往復移動可能に構成されたキャリッジ５には、その下面に記録ヘッド４が搭載されている。キャリッジ５を往復移動させるために、第２ガイド部材２３の上面にそれと平行状にて、プーリに巻回配置された無端ベルトとしてのタイミングベルト（図示せず）と、そのタイミングベルトを駆動するＣＲ（キャリッジ）モータ（実施形態ではＤＣモータであるが、ステッピングモータ等他のモータでもよい。図示せず）とを備えている。記録ヘッド４の下面側にて搬送される用紙（被記録媒体）を支持する板状のプラテン２６はメインフレーム２１に固定されている。キャリッジ５のＸ軸方向（主走査方向）の位置とその方向の移動速度を検知するための光学式リニアエンコーダの構成部品であるテープスケール（図示せず）は、第２ガイド部材２３の上面にて主走査方向に沿って延びるように配置されている。
【００２８】
なお、プラテン２６上で用紙が通過する方向での用紙搬送方向（矢印Ａ方向、図２参照）の上流側に、第１ガイド部材２２が配置され、下流側に第２ガイド部材２３が配置されることになる。
【００２９】
また、プラテン２６よりも搬送上流側には、搬送作用とレジスト作用を兼用させるレジストローラ対２７が配置されている。駆動ローラ２７ａと従動ローラ２７ｂとからなるレジストローラ対２７は用紙を記録ヘッド４の下面のノズル面とプラテン２６との隙間に搬送する。プラテン２６よりも下流側には、用紙の上面に接する拍車２８ｂと下面側の駆動する排紙ローラ２８ａとが配置されている。この排紙ローラ２８ａと拍車２８ｂとは記録済みの用紙を排紙部１０へと搬送する。
【００３０】
本実施形態では、図２に示すように、主給紙カセット３には、被記録媒体としての例えばＡ４サイズ、レターサイズ、リーガルサイズ等にカットされた大サイズの用紙をその短辺が（図２において紙面と直交する方向、主走査方向、Ｘ軸方向）に延びるようにして複数枚積層（堆積）されて収納できる収容部を備えている。
【００３１】
主給紙カセット３の上部には、例えば葉書等の小サイズの用紙を複数枚堆積させて収納できる載置部を備えた補助給紙カセット３３がＹ軸方向（用紙搬送方向、副走査方向）に移動可能に装着されている。
【００３２】
主給紙カセット３の奥側（後端側、給送方向下流側、図２において右端）には、用紙分離用の傾斜分離板８が配置されている。分離傾斜板８の幅方向（Ｘ方向）の中央部の内面（表面）側には、分離手段としての弾性分離パッド８ａ（実施形態では板バネ製である）が設けられている。
【００３３】
他方、本体ケース２側には、給紙手段６としての給紙ローラ６ｂが設けられている。即ち、給紙手段における給紙アーム６ａの上端部に駆動軸３４を備え、この駆動軸３４を中心として上下方向に回動可能な給紙アーム６ａが装着されている。この給紙アーム６ａの下端に設けられた給紙ローラ６ｂと、弾性分離パッド８ａとの協働作用により、主給紙カセット３または補助給紙カセット３３に堆積された用紙を一枚ずつ分離搬送する。分離された用紙は後述するような構成の上横向きのＵターンパス（給紙搬送路）９用の搬送路体を介して主給紙カセット３よりも上側（高い位置）に設けられた記録部７に給送される。記録部７にて記録された用紙がその記録面を上向きにして排出される排紙部（排紙トレイ部）１０は、補助給紙カセット３３の上側に形成されており、排紙部１０に連通する排紙口１０ａ（挿入口２ａの上方、図１参照）が本体ケース２の前面に向かって開口されている。
【００３４】
次に、主給紙カセット３及び補助給紙カセット３３に対する給紙搬送路（Ｕターンパス）９を構成するための搬送路体の構成について説明する。本発明による搬送路体は、図２に示すごとく、側面視で横向きＵ字状の外径側搬送路体３５と、この外径側搬送路体３５の内径側に適宜隙間を隔てて配置される内径側搬送路体３６とを備えている。更に外径側搬送路体３５の一部は分割可能になっており、画像読取部ケース１２の下面に一体的に構成されている。外径側搬送路体３５及び内径側搬送路体３６はそれぞれ合成樹脂製の射出成形品である。なお、給紙搬送路（Ｕターンパス）９の下流側には、内径側搬送路体３６よりも内径側から半径外方向に延びる用紙有無センサ用の検知レバー５５が回動可能に設けられており、給紙搬送路（Ｕターンパス）９を通過する用紙の先端縁及び後端縁の通過を検知できるようにしている。
【００３５】
図４（ａ）〜図４（ｃ）は、ヒンジ手段４０の１実施形態を示す。この実施形態では、ヒンジ手段４０は、本体ケース２の上面のうち操作パネル部１４に隣接する個所に上向きに突出するブラケット４１の先端に設けられた横向きのピン４２と、画像読取部ケース１２の前端部に設けられて、前記ピン４２に回動可能に被嵌する軸受部４３とから構成されている。
【００３６】
ブラケット４１及び横向きのピン４２は、合成樹脂製の本体ケース２と一体的に射出成形される。横向きのピン４２は丸軸の円周面両側を平行端面となるように切除して断面略小判形に形成されている（図４（ｃ）参照）。画像読取部ケース１２の前端部を下向きにした垂直状態にしたとき、軸受部４３の円筒の下端開放部４３ａに対して、ピン４２が下方から挿入できる構成である（図４（ｃ）参照）。従って、画像読取部ケース１２が垂直状態以外のときには、図４（ｂ）に示すように、ピン４２の円弧部が軸受部４３の円周内面に沿って回動可能であり、且つピン４２は軸受部４３から抜け出さない。
【００３７】
また、画像読取部ケース１２の側面視において、本体ケース２の上面開口部２ｃのうち操作パネル部１４から最も遠い側には、前述した外径側搬送路体３５が下向きに突出するように一体的に形成されている（図５、図６（ａ）及び図６（ｂ）参照）。
【００３８】
従って、ヒンジ手段４０により、画像読取部ケース１２が操作パネル部１４を除く本体ケース２の上面開口部２ｃに対して閉止する姿勢（図３及び図４（ａ）参照）と、ヒンジ手段４０のピン４２を回動支点として、本体ケース２の上面開口部２ｃに対して画像読取部ケース１２の後端側が大きく開くように、開放する姿勢（図５、図６（ａ）及び図６（ｂ）参照）とに、画像読取部ケース１２が上下回動可能となるように構成されている。従って、画像読取部ケース１２と共に上方に移動する外径側搬送路体３５は本体ケース２の背面の開口部２ｄに対して上向きに抜けるので、内径側搬送路体３６の外面を露出させることができ、給紙搬送路（Ｕターンパス）９にて用紙が詰まったときには、簡単に除去できることになる。
【００３９】
画像読取部ケース１２が本体ケース２の上面開口部２ｃの全体を閉止する姿勢では、画像読取部ケース１２、外径側搬送路体３５及び本体ケース２の背面がほぼ一致するように閉止される。
【００４０】
全開状態の画像読取部ケース１２が本体ケース２の上面開口部２ｃの方向に不用意に閉じることがないように、画像読取部ケース１２の下面と本体ケース２の上面開口部２ｃとの間にスタンド（保持）部材４４を介在させる。スタンド（保持）部材４４の基端（下端）は、本体ケース２の上面開口部２ｃの後端側にてピン４５を介して上下回動可能に設けられている（図６（ａ）及び図６（ｂ）参照）。図示しないが、画像読取部ケース１２の下面に設けられた係止部に、スタンド部材４４の上端部が着脱可能に係止できる構成である。なお、本実施形態においては保持部材としてスタンド部材４４を設けたが、全開状態の画像読取部ケース１２が本体ケース２の上面開口部２ｃの方向に不用意に閉じることを防止する部材であればどのような保持部材であってもよいことは言うまでもない。
【００４１】
操作パネル部１４より後部である上面開口部２ｃは、後述する記録部７の上面の一部が露出するような開口窓４７が形成された合成樹脂製のカバー体４６にて覆われている（図５及び図６（ａ）参照）。
【００４２】
カバー体４６の下方であって、操作パネル部１４に近い側の本体ケース２内には、多機能装置１の全体の制御のための制御基板４８が配置されている（図２、図５及び図７（ｂ）参照）。そして、制御基板４８に設けられたＵＳＢケーブル用コネクタ４９やＬＡＮケーブルのためのコネクタ５０の開口部４９ａ、５０ａがカバー体４６の上側凹部５１に横向きに開口されている（図６（ａ）参照）。そして、カバー体４６の上面には、上側凹部５１に連通する上方開放型の配線通路５２が本体ケース２の背面に開放されるように形成されている。実施形態では、本体ケース２の一方の側板の内側に沿って前後に長くなるように、配線通路５２が形成されている。従って、画像読取部ケース１２の後側を大きく開いた状態で、外部装置と接続してデータや信号を伝送するためのＵＳＢケーブルやＬＡＮケーブル等の複数の配線５３を配線通路５２内に沿うように配置でき、且つ画像読取部ケース１２を閉じた状態でも本体ケース２の背面から配線５３を外に出せる。
【００４３】
画像読取部ケース１２内にガイドレール５６に沿って移動可能に配置されたイメージスキャナ装置（ＣＩＳ）１７に一端が接続されたフレキシブルフラットケーブル５７は、画像読取部ケース１２の下面に沿って延び、上述のヒンジ手段４０の回動中心の個所を経由して、本体ケース２内の制御基板４８に他端が接続される（図７（ｂ）参照）。従って、画像読取部ケース１２の後端に設けられたヒンジ手段の回動中心の個所を経由し、且つ上述の本体ケース２の背面側の開口部２ｄの個所を迂回して、制御基板４８までフレキシブルフラットケーブルを引き回す場合よりも、大幅にフレキシブルフラットケーブル５７の長さを短くすることができる。よって、フレキシブルフラットケーブル５７が外部から受けるノイズの悪影響を少なくすることができる。
【００４４】
上記の構成において、ユーザーは、上側本体である画像読取部ケース１２の後端側を持ち上げるだけで、外径側搬送路体３５も同時に給紙搬送路９から外すことができ、且つ画像読取部ケース１２の上面開口部ｃの後部側を大きく開くことができるので（図６（ａ）、図６（ｂ）参照）、記録部７におけるプラテン２６上の紙ジャムでは、本体ケース２の上面開口部２ｃの後側の開口窓４７から指を差し込んで、詰まった用紙を除去する。給紙搬送路９で発生した紙ジャムのときは、内径側搬送路体３６が大きく露出でき、詰まった用紙を簡単に除去できる。
【００４５】
また、全閉状態から全開状態まで、画像読取部ケース１２の後端（背面）が本体ケース２の後端（背面）よりも後方に位置することがないので、本発明適用した画像記録装置の背面を室の壁に接近させて配置しても、本体ケース２の上面開口部２ｃを開放する作業に不都合がない。
【００４６】
本発明では、本体ケース２の上面開口部２ｃの一部に操作パネル部１４等の上向きの突出部があっても、これに邪魔されること無く、画像読取部ケース１２の少なくとも一方（突出部から遠い側）を持ち上げて回動でき、上面開口部２ｃを大きい範囲で開放することができる。
【００４７】
本発明の他の実施形態では、本体ケース２の上側の左右いずれか一方に画像読取部ケース１２を上向き回動させて開放する構成であっても良く、その場合、突出部として、通信用のハンドセットの置き場等を想定することができる。
【００４８】
なお、本願発明は、原稿カバー体１３の上面の一部に、原稿自動搬送装置と原稿載置部とを設けて、複数枚の原稿を１枚ずつ画像読取装置（スキャナ部）１２ａに送って原稿読取後、原稿カバー体１３の上面側に形成された原稿排紙部に排出する構成のものにも適用できることはいうまでもない。
【図面の簡単な説明】
【００４９】
【図１】本発明の画像記録装置の正面側斜視図である。
【図２】本発明の画像記録装置の側断面図である。
【図３】上側本体を下側本体に対して全閉した状態の背面側斜視図である。
【図４】（ａ）はヒンジ手段の側断面図、（ｂ）はヒンジ手段の要部拡大側断面図、（ｃ）は上側本体のヒンジ手段へ装着時の側断面図である。
【図５】上側本体を全開した状態を示す側断面図である。
【図６】（ａ）は上側本体を下側本体に対して全開した状態の側面図、（ｂ）は上側本体を全開した状態を示す裏面側斜視図である。
【図７】（ａ）は全開状態の原稿カバーを除いた画像読取部を示す斜視図、（ｂ）は全開状態のフレキシブルフラットケーブルと制御基板との接続配線状態を示す斜視図である。
【符号の説明】
【００５０】
１      多機能装置
２      本体ケース
２ｃ      上面開口部
４      記録ヘッド
７      記録部
９      給紙搬送路
１２    画像読取部ケース
１４    突出部の一例としての操作パネル部
１７    イメージスキャナ装置
３５    外径側搬送路体
３６    内径側搬送路体
４０    ヒンジ手段
４１    ブラケット
４２    ピン
４３    軸受部
４４    スタンド（保持）部材
４５    ピン
４６    カバー体
４８    制御基板
５３    配線
５７    フレキシブルフラットケーブル
【図１】
2008118200.tif 000003
【図２】
2008118200.tif 000004
【図３】
2008118200.tif 000005
【図４】
2008118200.tif 000006
【図５】
2008118200.tif 000007
【図６】
2008118200.tif 000008
【図７】
2008118200.tif 000009